(57)【要約】【課題】簡単な構成で色再現性を高めることができるバックライト装置を提供する。【解決手段】本発明は、発光波長の異なる第１と第２の２種類のＬＥＤ素子３，４と、第１と第２のＬＥＤ素子３，４を実装する基板５と、第１と第２のＬＥＤ素子３，４からの光を端面６ａから体内に入光させ、当該端面に垂直な発光面６ｂから出射させる導光板６とを具備するバックライト装置２であって、第１と第２のＬＥＤ素子３，４は基板５上にアレイ状に、かつ、交互に配置されていることを特徴とする。【選択図】図２
2008117594.tif 000002
【特許請求の範囲】
【請求項１】
発光波長の異なる第１と第２の２種類のＬＥＤ素子と、前記第１と第２のＬＥＤ素子を実装する基板と、前記第１と第２のＬＥＤ素子からの光を端面から体内に入光させ、当該端面に垂直な発光面から出射させる導光板とを具備するバックライト装置であって、
前記第１と第２のＬＥＤ素子は前記基板上にアレイ状に、かつ、交互に配置されていることを特徴とするバックライト装置。
【請求項２】
前記第１のＬＥＤ素子は、４３０〜４８０ｎｍにピークを持つＬＥＤチップと５００〜５７０ｎｍに発光ピークを持つ蛍光体とを具備していることを特徴とする請求項１に記載のバックライト装置。
【請求項３】
前記第２のＬＥＤ素子は、６００〜６６０ｎｍにピークを持つＬＥＤチップを具備していることを特徴とする請求項１に記載のバックライト装置。
【請求項４】
前記第１のＬＥＤ素子と第２のＬＥＤ素子との中心間距離ＤＬと、各ＬＥＤ素子から当該装置の発光領域の端縁までの距離ＤＥとが、ＤＬ＜２ＤＥになるようにしたことを特徴とする請求項１〜３のいずれかに記載のバックライト装置。
【発明の詳細な説明】
【技術分野】
【０００１】
本発明は、液晶用バックライト装置に関する。
【背景技術】
【０００２】
白色ＬＥＤは、発光効率が高いものの、照明用として使用する際は演色性の問題点があり、また、液晶バックライト用として使用する際は色再現範囲が狭い問題点がある。このような問題点を解決する方法として、白色ＬＥＤを使用せずに、例えば、Ｒ，Ｇ，ＢのＬＥＤを組み合わせたり、ＵＶ発光するＬＥＤ素子と蛍光体とを組み合わせたりする方法がある。
【０００３】
しかしながら、Ｒ，Ｇ，Ｂの３色ＬＥＤを使用した場合は発光効率が低い、コストが高い、混色が困難、制御が複雑である等の問題点がある。また、ＵＶ発光するＬＥＤ素子と蛍光体とを組み合わせる方法は発光効率が低い、ＵＶ漏れにより周辺部材を劣化させる等の問題点があり、実用化するには克服すべき技術的課題がなお多い。
【０００４】
また、従来、バックライト装置として、特開平１１−３５３９２０号公報（特許文献１）に示されているような、光源として複数種のＬＥＤを採用した導光板方式のバックライト装置が知られている。しかしながら、このようなバックライト装置は、導光板の厚さ方向に対し複数種のＬＥＤを並べて配置しているため、バックライトの厚みが大きくなり、装置として厚みを大きくなり、薄型化が難しい問題点がある。
【特許文献１】特開平１１−３５３９２０号公報
【発明の開示】
【発明が解決しようとする課題】
【０００５】
本発明は、上記の従来技術の課題に鑑みてなされたもので、複数種のＬＥＤ素子を使用したバックライト装置にあって、簡単な構成で色再現性を高めることができ、かつ、薄型化が可能なバックライト装置を提供することを目的とする。
【課題を解決するための手段】
【０００６】
本発明は、発光波長の異なる第１と第２の２種類のＬＥＤ素子と、前記第１と第２のＬＥＤ素子を実装する基板と、前記第１と第２のＬＥＤ素子からの光を端面から体内に入光させ、当該端面に垂直な発光面から出射させる導光板とを具備するバックライト装置であって、前記第１と第２のＬＥＤ素子は前記基板上にアレイ状に、かつ、交互に配置されていることを特徴とする。
【０００７】
上記のバックライト装置において、前記第１のＬＥＤ素子は、４３０〜４８０ｎｍにピークを持つＬＥＤチップと５００〜５７０ｎｍに発光ピークを持つ蛍光体とを具備したものを採用することができる。
【０００８】
また、上記のバックライト装置において、前記第２のＬＥＤ素子は、６００〜６６０ｎｍにピークを持つＬＥＤチップを具備したものを採用することができる。
【０００９】
また、上記のバックライト装置において、第１のＬＥＤ素子と第２のＬＥＤ素子との中心間距離ＤＬと、各ＬＥＤ素子から当該装置の発光領域の端縁までの距離ＤＥとが、ＤＬ＜２ＤＥになるように設定することができる。
【発明の効果】
【００１０】
本発明のバックライト装置によれば、発光波長の異なる第１のＬＥＤ素子と第２のＬＥＤ素子とを基板上に交互にアレイ状に配置し、各ＬＥＤ素子からの光を導光板の端面から入光させることで、当該装置の発光面から輝度が均一で、かつ、色再現性範囲の広いバックライトを出射させることができ、その上、導光板の厚みを薄く設定できて当該装置の厚みも小さくできる。
【発明を実施するための最良の形態】
【００１１】
以下、本発明の実施の形態を図に基づいて詳説する。図１に本発明の１つの実施の形態のバックライト装置に採用するＬＥＤ光源ユニット１を示している。本実施の形態におけるＬＥＤ光源ユニット１は、発光波長域の異なる第１のＬＥＤ素子３と第２のＬＥＤ素子４とを同一の基板５上にアレイ状に、かつ、交互に配置した構成である。第１のＬＥＤ素子３と第２のＬＥＤ素子４との中心間距離ＤＬは一定、従って両者間の間隔も一定にしてある。基板５上には、第１のＬＥＤ３と第２のＬＥＤ４とは独立駆動可能なようにそれぞれに個別に給電するための配線パターン（図示せず）が設けられている。
【００１２】
本実施の形態において、第１のＬＥＤ素子３には、４３０〜４８０ｎｍにピークを持つ青色ＬＥＤチップと５００〜５７０ｎｍに発光ピークを持つ蛍光体とを具備したものを採用している。また、第２のＬＥＤ素子４には、６００〜６６０ｎｍにピークを持つ赤色ＬＥＤチップを具備したものを採用している。本実施の形態において、基板５は、例えば、ＣＥＭ−３，ＦＲ−４などのリジット基板でもよいし、放熱性を高めた金属ベースの基板でもよい。また、フレキシブル基板でもよい。
【００１３】
図２に、上記ＬＥＤ光源ユニット１を組み込んだ本発明の１つの実施の形態としてのサイドライト方式のバックライト装置２を示している。ＬＥＤ光源ユニット１は導光板６の一端面の入光面６ａに近接して、各ＬＥＤ素子３，４の発光面が導光板６の入光面６ａ側を向く姿勢にして配置されている。各ＬＥＤ素子３，４の発光面と導光板２のバックライト発光領域６ｂの端縁までの距離をＤＥ、第１のＬＥＤ素子３と第２のＬＥＤ素子４の中心間距離をＤＬとした場合、ＤＬ＜２ＤＥに配置してある。この配置にすることで、バックライト発光領域６ｂでは第１のＬＥＤ素子３の発光と第２のＬＥＤ素子４の発光とが混色し、バックライト装置２としての設計が容易になる。また、上記のバックライト装置２において、ＬＥＤ光源ユニット１の基板５の両端位置のＬＥＤ素子は、第１のＬＥＤ素子３とすることができる。
【００１４】
本実施の形態のバックライト装置２によれば、発光波長の異なる第１のＬＥＤ素子３と第２のＬＥＤ素子４とを基板５上にアレイ状に、かつ、交互に配置してＬＥＤ光源ユニット１となし、各ＬＥＤ素子３，４の発光を導光板６の端面の入光面６ａに入射させることで、導光板６のバックライト発光領域６ｂでの発光輝度が均一で、かつ、色再現性範囲の広いバックライト装置が実現できる。
【図面の簡単な説明】
【００１５】
【図１】本発明の１つの実施の形態のバックライト装置に使用するＬＥＤ光源ユニットの正面図。
【図２】本発明の１つの実施の形態のバックライト装置の平面図。
【符号の説明】
【００１６】
１  ＬＥＤ光源ユニット
２  バックライト装置
３  第１のＬＥＤ素子
４  第２のＬＥＤ素子
５  基板
６  導光板
【図１】
2008117594.tif 000003
【図２】
2008117594.tif 000004